(57)【要約】【課題】携帯情報機器紛失時の使用制限選を択的に行いながら通常の使い勝手の妨げとならない携帯情報機器の使用制限装置を提供する。【解決手段】携帯情報機器としての携帯電話１は、ポケット又は財布等に入れられている識別信号送信ユニット１０からの識別信号を受信して本人認証を行う。携帯電話１を自宅に置いておく時は携帯電話１と識別信号送信ユニット１０が散逸しないようにスロット１１に識別信号送信ユニット１０を差し込んでおく。外出のとき携帯電話１を手に取ると識別信号送信ユニット１０の他部１０−２が外部に突出しているので抜き取り忘れがない。本人認証状態で操作部２の操作キー５による入力で制限機能を設定することができる。盗難等で携帯電話１が識別信号送信ユニット１０から遠くにあり、本人認証が出来ない状態では設定された制限機能を使用することができない。【選択図】      図１
2006262151.tif 000002
【特許請求の範囲】
【請求項１】
携帯情報機器の機能を制限する使用制限装置であって、
前記携帯情報機器の本体に脱着自在に設けられた識別信号送信ユニットと、
前記携帯情報機器の本体に設けられ、前記識別信号送信ユニットからの識別信号を受信する識別信号受信ユニットと、
前記携帯情報機器の本体に設けられ、前記識別信号受信ユニットからの信号の受信状態を検出し、前記携帯情報機器の機能の中から動作する機能を指定する機能選択部と、
を有し、
該機能選択部は、前記識別信号受信ユニットが識別信号を受信していないときには、前記携帯情報機器の機能を制限することを特徴とする携帯情報機器の使用制限装置。
【請求項２】
前記携帯情報機器は、本体に前記識別信号送信ユニットを内部に収納する識別信号送信ユニット収納部を有することを特徴とする請求項１記載の携帯情報機器の使用制限装置。
【請求項３】
前記識別信号送信ユニット収納部は、前記識別信号送信ユニットの一部を内部に収納し、前記識別信号送信ユニットの他部を前記携帯情報機器の外部に突出させるように前記識別信号送信ユニットを保持することを特徴とする請求項２記載の携帯情報機器の使用制限装置。
【請求項４】
前記識別信号送信ユニットは、前記携帯情報機器のストラップ取付部を介して、前記携帯情報機器の本体に脱着自在に装着するクリップを有していることを特徴とする請求項１記載の携帯情報機器の使用制限装置。
【請求項５】
前記携帯情報機器を充電するクレイドルまたはケーブルに前記識別信号送信ユニットを設けたことを特徴とする請求項１記載の携帯情報機器の使用制限装置。
【請求項６】
前記機能選択部に対して、動作する機能を予め選択して入力する機能選択入力部を前記形態情報機器に設けたことを特徴とする請求項１記載の携帯情報機器の使用制限装置。
【請求項７】
前記携帯情報機器は表示部を有し、前記携帯情報機器の識別信号受信ユニットの識別信号の受信が切断され、前記機能選択部が前記携帯情報機器の動作する機能を制限している場合には、前記表示部に警告表示が表示されることを特徴とする請求項１記載の携帯情報機器の使用制限装置。
【請求項８】
前記携帯情報機器は警告音発生部を有し、前記携帯情報機器の識別信号受信ユニットの識別信号の受信が切断され、前記機能選択部が動作する機能を制限している場合には、前記警告音発生部から警告音が放音されることを特徴とする請求項１記載の携帯情報機器の使用制限装置。
【請求項９】
前記携帯情報機器は表示部を有し、前記携帯情報機器の識別信号受信ユニットの識別信号の受信が切断され、前記機能選択部が前記携帯情報機器の動作する機能を制限している場合に、その制限されている機能を操作する信号が入力された時には、前記表示部に警告表示が表示されることを特徴とする請求項１記載の携帯情報機器の使用制限装置。
【請求項１０】
前記携帯情報機器は警告音発生部を有し、前記携帯情報機器の識別信号受信ユニットの識別信号の受信が切断され、前記機能選択部が動作する機能を制限している場合に、その制限されている機能を操作する信号が入力された時には、前記警告音発生部から警告音が放音されることを特徴とする請求項１記載の携帯情報機器の使用制限装置。
【請求項１１】
前記携帯情報機器は表示部を有し、前記携帯情報機器の識別信号受信ユニットが識別信号の受信中であり、前記機能選択部が前記携帯情報機器の動作する機能を制限を解除している場合には、前記表示部に識別信号受信表示が表示されることを特徴とする請求項１記載の携帯情報機器の使用制限装置。
【請求項１２】
前記携帯情報機器はカメラを内蔵し、前記携帯情報機器の識別信号受信ユニットが識別信号を受信していない状態で、前記携帯情報機器に操作信号が入力された場合には、前記カメラにより撮影動作が行われることを特徴とする請求項１記載の携帯情報機器の使用制限装置。
【発明の詳細な説明】
【技術分野】
【０００１】
本発明は、携帯情報機器紛失時の使用者本人以外の者の使用を制限する携帯情報機器の使用制限装置に関する。
【背景技術】
【０００２】
従来、送信機から識別コードを一定の強度で送信し、機器(携帯機器、自動車等)に組み込まれた受信機がその識別信号を受信した場合は機器の使用制限を解除し、送信機が受信機(機器)から離れ、受信機が識別信号を受信できない場合は、機器の使用を制限するという技術が提案されている。
【０００３】
これは、具体的には、識別信号送信ユニットを、例えばカード形式のように出来るだけ薄くて軽量な形状のものとし、その識別信号送信ユニットを携帯電話機のような機器の所有者又は使用者が胸のポケットなど身体に常に密着して所持するようにするというものである。（例えば、特許文献１参照。）
また、使用制限区域内(病院、公共の施設等)で携帯電話の全機能の制限を行うのではなく、通話機能のみ制限するという技術も提案されている。（例えば、特許文献２参照。）
【特許文献１】特許第２９３１２７６号
【特許文献２】特開２００３−０４４７３６号公報
【発明の開示】
【発明が解決しようとする課題】
【０００４】
ところで、特許文献１の技術では、ａ：自宅に戻って携帯機器(例えば電話)をテーブルの上等に置いた場合、充電中等、識別信号送信ユニット(例えばカード型)をポケット、財布等から出し、携帯電話のそばに置いておかないと、その度に携帯電話の使用が制限されると共に、カードから携帯電話を置き忘れた旨の警告が発せられることになる。
【０００５】
ｂ：また、携帯電話のそばにカードを置いた状態で着信があり、携帯電話は持ったがカードを持たずに別室にでも移動してしまうと通話が切れてしまう可能性がある、ｃ：携帯電話を持ってカードから離れてしまった場合は、カードから離れたことを警告するメッセージは無いが、携帯電話の使用が制限されるため、その間の着信があっても着信の履歴が残らないという不具合がある、ｄ：また、カードを忘れて外出してしまうという可能性も多分にある、といった使い勝手上の不都合な問題が多々残されている。
【０００６】
また、特許文献２の技術では、使用制限区域内で携帯電話の通話機能のみ制限できるというものであるが、携帯電話を始めとする携帯機器は多機能化されてきており、通話機能のみ制限できるだけでは、使用制限区域内で携帯電話の禁止条項に適さない場合が出てくる可能性が大きい。そこで、制限できる機能をユーザーが選択できることも必要となってきている。
【０００７】
本発明の課題は、上記従来の実情に鑑み、携帯情報機器紛失時の使用制限選を択的に行いながら通常の使い勝手の妨げとならない携帯情報機器の使用制限装置を提供することである。
【課題を解決するための手段】
【０００８】
以下に、本発明に係わる携帯情報機器の使用制限装置の構成を述べる。
本発明の携帯情報機器の使用制限装置は、携帯情報機器の機能を制限する使用制限装置であって、上記携帯情報機器の本体に脱着自在に設けられた識別信号送信ユニットと、上記携帯情報機器の本体に設けられ、上記識別信号送信ユニットからの識別信号を受信する識別信号受信ユニットと、上記携帯情報機器の本体に設けられ、上記識別信号受信ユニットからの信号の受信状態を検出し、上記携帯情報機器の機能の中から動作する機能を指定する機能選択部と、を有し、該機能選択部は、上記識別信号受信ユニットが識別信号を受信していないときには、上記携帯情報機器の機能を制限するように構成される。
【０００９】
上記携帯情報機器は、例えば、本体に上記識別信号送信ユニットを内部に収納する識別信号送信ユニット収納部を有するように構成される。この場合、上記識別信号送信ユニット収納部は、例えば、上記識別信号送信ユニットの一部を内部に収納し、上記識別信号送信ユニットの他部を上記携帯情報機器の外部に突出させるように上記識別信号送信ユニットを保持するように構成される。
【００１０】
また、上記識別信号送信ユニットは、例えば、上記携帯情報機器のストラップ取付部を介して、上記携帯情報機器の本体に脱着自在に装着するクリップを有しているように構成される。
【００１１】
この携帯情報機器の使用制限装置においては、例えば、上記携帯情報機器を充電するクレイドルまたはケーブルに上記識別信号送信ユニットを設けるように構成される。また、例えば、上記機能選択部に対して、動作する機能を予め選択して入力する機能選択入力部を上記形態情報機器に設けるように構成される。
【００１２】
また、この携帯情報機器の使用制限装置においては、例えば、上記携帯情報機器は表示部を有し、上記携帯情報機器の識別信号受信ユニットの識別信号の受信が切断され、上記機能選択部が上記携帯情報機器の動作する機能を制限している場合には、上記表示部に警告表示が表示されるように構成される。
【００１３】
また、例えば、上記携帯情報機器は警告音発生部を有し、上記携帯情報機器の識別信号受信ユニットの識別信号の受信が切断され、上記機能選択部が動作する機能を制限している場合には、上記警告音発生部から警告音が放音されるように構成される。
【００１４】
また、例えば、上記携帯情報機器は表示部を有し、上記携帯情報機器の識別信号受信ユニットの識別信号の受信が切断され、上記機能選択部が上記携帯情報機器の動作する機能を制限している場合に、その制限されている機能を操作する信号が入力された時には、上記表示部に警告表示が表示されるように構成される。
【００１５】
また、例えば、上記携帯情報機器は警告音発生部を有し、上記携帯情報機器の識別信号受信ユニットの識別信号の受信が切断され、上記機能選択部が動作する機能を制限している場合に、その制限されている機能を操作する信号が入力された時には、上記警告音発生部から警告音が放音されるように構成される。
【００１６】
また、例えば、上記携帯情報機器は表示部を有し、上記携帯情報機器の識別信号受信ユニットが識別信号の受信中であり、上記機能選択部が上記携帯情報機器の動作する機能を制限を解除している場合には、上記表示部に識別信号受信表示が表示されるように構成される。
【００１７】
また、この携帯情報機器の使用制限装置においては、例えば、上記携帯情報機器はカメラを内蔵し、上記携帯情報機器の識別信号受信ユニットが識別信号を受信していない状態で、上記携帯情報機器に操作信号が入力された場合には、上記カメラにより撮影動作が自動的に行われるように構成される。
【発明の効果】
【００１８】
以上のように、本発明よれば、携帯情報機器紛失時の使用制限を選択的に行いながら且つ通常の使い勝手の妨げとならない携帯情報機器の使用制限装置を提供することが可能となる。
【発明を実施するための最良の形態】
【００１９】
以下、本発明の実施の形態を図面を参照しながら説明する。なお、以下の説明では、携帯情報機器の例として携帯電話を取り上げて説明する。
【実施例１】
【００２０】
図１は、上に、実施例１としての折畳式携帯電話（以下、単に携帯電話という）の開成状態と識別送信ユニットを示し、左下に、識別信号送信ユニットの一部を内部に収納し、他部を外部に突出させて折畳まれた携帯電話の状態を示し、右下に識別信号送信ユニットの内部構成の大枠を透視的に示している。
【００２１】
図１に示すように、携帯電話１は、操作部２とこの操作部２にヒンジ３により回動自在に連設されている回動部４から成る本体部を備えている。操作部２の面には多数の操作キー５が配設され、最下端にはマイク６が配置されている。
【００２２】
他方の回動部４は、表示画面７によって大きく占められており、最上端にはスピーカ８とデジタルカメラ９が配設されている。そして、側面には識別信号送信ユニット１０を収納する識別信号送信ユニット収納部としてのスロット１１がその収納口を外部に覗かせている。
【００２３】
スロット１１は、識別信号送信ユニット１０の一部１０−１を内部に収納し、識別信号送信ユニット１０の他部１０−２を携帯電話１本体の外部に突出させるように識別信号送信ユニット１０を保持するように構成されている。
【００２４】
この識別信号送信ユニット１０は、図１の上に示すように、クレジットカード状の形態をしており、内部には、詳しくは後述するが、図１の右下に示すように、識別信号送信回路１２、及びこの識別信号送信回路１２を駆動するための電池１３が内蔵されている。
【００２５】
図１の左下に示すように、使用者が携帯電話１を携帯せずに自宅に置いておく時などには、スロット１１に識別信号送信ユニット１０を差し込んでおくことにより、携帯電話１と識別信号送信ユニット１０が散逸することがなく安心である。
【００２６】
また、スロット１１に識別信号送信ユニット１０の一部１０−１のみが収容され、識別信号送信ユニット１０の他部１０−２は携帯電話１本体の外部に突出された状態である。
したがって、使用者が外に出かけるときに携帯電話１を手に取ったとき、使用者は、スロット１１に識別信号送信ユニット１０が差し込まれていることを容易に認知することができる。
【００２７】
これにより、スロット１１に識別信号送信ユニット１０を収容したまま携帯電話１を持ち歩いて携帯電話１を紛失した場合に生じる不都合（使用者本人以外の者の使用）を避けるために、携帯電話１から識別信号送信ユニット１０を抜き取って携帯電話１から切り離し、携帯電話１とは別にポケットや財布等に仕舞い込むように、使用者に促すことができる。
【００２８】
尚、図の左下に示す状態では、携帯電話１を畳んだ状態で示しているが、識別送信ユニット１０を携帯電話１のスロット１１に挿入した状態で携帯電話１の回動部４を開けば、送信、イーメール等の携帯電話１の各機能を使用することができる。
【００２９】
また、上記のように必ずしもスロット１１に収容された識別信号送信ユニット１０の他部１０−２が携帯電話１本体の外部に突出された状態にする必要はなく、スロット１１に識別信号送信ユニット１０全体が収容されるようにしてもよいが、その場合は、スロット１１に識別信号送信ユニット１０が収容されていることを外部（使用者）に報知するために、例えば適宜の箇所に設けられたＬＥＤを点滅させるようにすると良い。
【００３０】
この携帯電話１と識別信号送信ユニット１０とは、１ｍ内外の距離で通信でき、したがってポケットや財布などに仕舞い込まれた識別信号送信ユニット１０と、他のポケット、手提げバッグ、あるいは手に提げた携帯電話１とは、常時通信が可能である。
【００３１】
しかし、携帯電話１から使用者が遠くに離されたとき、つまり携帯電話１を紛失したときには、識別信号送信ユニット１０との通信が途絶えるので、携帯電話１の使用が制限される。
【実施例２】
【００３２】
図２は、実施例２としての携帯情報機器の使用制限装置における携帯情報機器と使用制限装置との離散（散逸）防止の他の例を示す図である。
図２に示すように、クレジットカード状の識別送信ユニット１０には、チェーンを介してクリップ１４が取り付けられている。
【００３３】
図２の上に示す例では、上記のクリップ１４を携帯電話１のストラップ取り付け部１５に直接掛けて取り付ける場合の例を示している。このように、ストラップ取り付け部１５を介して識別送信ユニット１０を携帯電話１に容易に着脱することができる。
【００３４】
また、図２の下に示す例では、ストラップ１６を予め携帯電話１のストラップ取り付け部１５に取り付けておき、このストラップ１６に識別送信ユニット１０のクリップ１４を取り付ける場合の例を示している。このようにしても、ストラップ取り付け部１５を介して識別送信ユニット１０を携帯電話１に容易に着脱することができる。
【００３５】
いずれにしても、実施例１の場合と同様に、識別送信ユニット１０が携帯電話１に取り付けられていることを容易に使用者に認識させることができ、外出する際は使用者に対し忘れずに、識別送信ユニット１０を携帯電話１から外して持ち歩くようにさせることができる。
【実施例３】
【００３６】
図３は、実施例３としての携帯情報機器の使用制限装置における携帯情報機器と使用制限装置との他の係合関係の例を示す図である。
この実施例３では、図１又は図２に示したクレジットカード状の識別送信ユニット１０とは別に、充電用クレイドル１７にも識別送信ユニットの機能を持たせている。すなわち、本例では、充電用クレイドル１７内の回路基板１８に、識別送信ユニットと同一機能の識別信号送信回路部１９が設けられている。
【００３７】
この充電用クレイドル１８の電源ケーブル２１を商業用電源のコンセントに接続することにより、識別信号送信回路部１９にも電源が供給され、これにより、充電のために携帯電話１を、図の矢印ｂで示すように、充電用クレイドル１７に装着したときは、或いは充電用クレイドル１７の近くに置いた状態でも、携帯電話１の使用機能が制限されることはなくなる。
【００３８】
尚、携帯電話１の充電をすることが目的ではなく、ただ単に携帯電話１を充電用クレイドル１７に置いておくことも考えられる。したがって、充電用クレイドル１７内に、識別信号送信回路１９に電源を供給するための電池を設けておくようにしても良い。
【００３９】
この場合、充電用クレイドル１７の電源ケーブル２１がコンセントに接続されている時はその電源を、そうでない場合は電池からの電源により識別信号送信回路１９に電源を供給することにより、電池寿命を延ばすことができる。
【００４０】
本例のように構成することにより、携帯電話１の使用者は、帰宅後は充電用クレイドル１７に携帯電話１を置いておけば、常に携帯電話１の使用制限が解除されている状態になり、いちいち携帯電話１のそばに識別送信ユニット１０を置いておく手間が省ける。
【００４１】
また、クレジットカード状の識別送信ユニット１０を、例えば財布に入れておけば、外出時には忘れることのない財布を持っていくことにより、送信識別ユニット１０も自動的に身に着けて外出することになり、送信識別ユニット１０を持ち出し忘れて携帯電話１が使えないといった不都合なことがなくなるので便利である。
【実施例４】
【００４２】
図４は、実施例４としての携帯情報機器の使用制限装置における携帯情報機器と使用制限装置との他の係合関係の例を示す図である。
この実施例４では、携帯電話１の充電を、図３のような充電用クレイドル１７ではなく、図４に示す充電用ケーブル２２を用いて行う場合の例を示している。
【００４３】
携帯電話１の充電を、充電用ケーブル２２を用いて行う場合は、図の矢印ｃで示すように、充電用ケーブル２２のコネクタ２３を、携帯電話１の操作部２の下端部に配設されているコネクタ受け部２４に直接接続して使用するが、本例では、この充電用ケーブル２２のコネクタ２３に識別信号送信回路が内蔵されている。
【００４４】
通常、充電目的以外で充電用ケーブル２２を携帯電話１に接続することはないから、実施例３のように、識別送信回路用の電池を充電用ケーブル２２のコネクタ２３に内蔵する必要はなく、したがって、充電ケーブル２２のコネクタ２３には識別送信回路用のみを付加すればよく、それ以外には必要以上に大きくする必要がない。
【実施例５】
【００４５】
続いて、実施例５について説明する。本発明に係わる携帯電話１には、図１に示したように、表示画面７を見ながら操作部２の操作キー５を操作する携帯電話１の操作者側にもデジタルカメラ９が設けられている。
【００４６】
このデジタルカメラ９は、通常テレビ電話のためのものであるが、携帯電話１が識別送信ユニット１０からの識別信号が認識できない場合に、操作ボタンが操作された場合、デジタルカメラ９のレリーズスイッチが自動的にオンになり、操作者を撮影して、その画像が携帯電話１に内蔵の記憶装置に記録される。
【００４７】
すなわち、携帯電話１が盗難にあった場合、悪意のある人物が携帯電話１を操作すると、操作者の画像が携帯電話１の記憶装置に記録されることになる。したがって、盗難にあった携帯電話１が後日回収されたとき、悪意のある人物が特定される。
【００４８】
尚、操作者側のデジタルカメラ９は、一般撮影側と操作者側に回転可能に設けられているデジタルカメラでも良い。
【実施例６】
【００４９】
次に、実施例１〜５における携帯情報機器の使用制限装置を構成する携帯情報機器の回路ブロックと使用制限装置の回路ブロックについて実施例６として説明する。
図５は、上述した実施例１〜５における携帯情報機器の使用制限装置における携帯情報機器の回路ブロックを上に示し、同じく使用制限装置の回路ブロックを下に示している。
【００５０】
図５の上に示すように、携帯電話１は、機能制御部２５を中心にして、この機能制御部２５にバスを介して接続された機能選択部２６、表示部２７、操作信号入力部２８、及び識別信号受信ユニット２９を備えている。識別信号受信ユニット２９には受信アンテナ３１が接続されている。
【００５１】
機能制御部２５は、ＣＰＵ（central processing unit）を中心とした通常の携帯電話制御部を備えると共に上記の各部を制御する制御回路である。
機能選択部２６は、メモリ部を備え、機能制御部２５の制御の下に、携帯電話１が備える各種機能の制御プログラムの起動の可／不可を選択的にメモリ部のフラグ部に設定し、そのフラグ部に設定されたフラグの状態値を機能制御部２５に通知する回路である。
【００５２】
表示部２７は、機能制御部２５の制御の下に、表示画面７の表示を表示駆動する回路である。
操作信号入力部２８は、操作部２の操作キー５から使用者によってキー入力されるキー操作イベントを検出して、その検出したキー操作イベントを機能制御部２５に通知する回路である。
【００５３】
そして識別信号受信ユニット２９は、受信アンテナ３１を介して識別信号送信ユニット１０又は識別信号送信回路部１９から入力される識別信号を入力して、その入力した識別信号を機能制御部２５に通知する回路である。
【００５４】
また、図５の下に示すように、識別信号送信ユニット１０は、識別信号送信回路３２にバスを介して識別情報記録部３３、電源３５、アンテナ３４が接続されている。
電源３５は、駆動用電池１３から取り出した電力を、適正な電圧に変換して識別信号送信回路３２に供給する回路である。
【００５５】
識別情報記録部３３は、メモリ部であり、携帯電話１に一義的に対応するＩＤコードが記録されている回路である。
識別信号送信回路３２は、識別情報記録部３３からＩＤコードを読み出して、その読み出したＩＤコードをアンテナ３４を介して外部に送信する回路である。
【実施例７】
【００５６】
次に、実施例７として、上記の構成において機能制御部２５の制御の下に表示部２７による駆動により表示画面７に表示される画面の例を示す。
図６は、上記の構成において携帯電話１の表示画面７に表示される画面表示の例を示す図である。
【００５７】
図６は、携帯電話１の使用者による操作部２の操作キー５の操作によって携帯電話１の制限機能を設定する場合の表示画面７の表示例を示す図である。
先ず、携帯電話１の表示画面７は、図６に示すように、中央の画像表示面３６、上端部の電池残量と通信可能度を示す使用環境表示部３７、下端部の通信時間（使用時間）を示す時間表示部３８で構成されている。
【００５８】
中央の画像表示面３６には携帯電話１の制限機能を設定するメニューが、例えば「プリペイドカード」、「通話」、「メール」、「インターネット」、「アドレス帳表示」、「カメラ」と画面表示され、それぞれのメニュー表示の左端部にはチェックボックス３９（３９−１〜３９−６）が表示されている。
【００５９】
そして、携帯電話１の使用者による操作キー５の操作結果として、プリペイドカードのチェックボックス３９−１と、アドレス帳表示のチェックボックス３９−５にチェックが入力されている。すなわち、「プリペイドカード」と「アドレス帳表示」が機能制限されている。
【実施例８】
【００６０】
図７は、実施例８として、実施例１〜５の携帯電話１の制限機能によって画像表示面３６に表示される表示例を３例示す図である。
図７の上に示すように、携帯電話１が識別信号ユニット１０からの信号を受信していない時、携帯電話１の使用者が、操作キー５のキー操作により起動させようとしている機能が、予め制限が設定された機能である場合に、携帯電話１の表示画面７の画像表示面３６には、例えば「識別信号を認識できません。○○機能を使用するためには識別信号ユニットが必要です。」というように認証要求画面３６−１が表示される。
【００６１】
図７の中央に示す図は、携帯電話１の使用者がポケット又は財布等に識別信号ユニット１０を携帯している場合に、携帯電話１側に識別信号が認識されていることを示す待ち受け画面表示の例（待ち受け画面表示Ａ）である。
【００６２】
この待ち受け画面表示Ａでは、画像表示面３６には使用者の好みで設定された例えば大きな人の顔の表示３６−２が表示され、使用環境表示部３７の右端部に二重丸の認証マーク４１が表示されている。
【００６３】
他方、図７の下に示す図は、携帯電話１の使用者が識別信号ユニット１０を携帯しておらず、携帯電話１側に識別信号が認識されていないことを示す画面表示の例（待ち受け画面表示Ｂ）である。
【００６４】
この待ち受け画面表示Ｂでは、上記同様に画像表示面３６に人の顔を示す大きな表示が表示されて待ち受け画面表示であることを示しているが、使用環境表示部３７の右端部には、×形の非認証マーク４２が表示されている。
＜動作＞
図８〜図１０は、上記実施例１〜８に示した構成の携帯情報機器の使用制限装置において、携帯電話１が識別信号送信ユニット１０からの識別信号を受信した場合としなかった場合の、携帯電話１の機能制御部２５によって処理される使用制限処理の動作を説明するフローチャートである。
【００６５】
先ず、図８に示すように、電源スイッチをオンにした（Ｓ１）直後は、予め設定された機能の使用が制限された状態(使用制限状態)になり（Ｓ２）、その後、携帯電話１の機能識別制御部２５は、直ちに識別信号送信ユニット１０からの識別信号を待つ状態(識別信号の認証判別状態)になる（Ｓ３）。
【００６６】
そして、識別信号送信ユニット１０からの信号を受信できなかった場合は（Ｓ３がＮｏ）、先ず、携帯電話１から警告音が発せられる（Ｓ１５）。
この警告音は、一定時間、例えば１０秒程度でも良いし、また後述する制限機能設定により、警告音が発せられる時間を設定可能にしても良い。
【００６７】
その後、例えば図７の下に示したような、識別信号送信ユニット１０からの識別信号を受信できなかったことを示す×形の非認証マーク４２が使用環境表示部３７の右端部に表示された待ち受け画面Ｂが表示される（Ｓ１６）。
【００６８】
尚、この図７の下に示したような待ち受け画面は、常に表示画面７に表示しても良いが、電池の消耗を防ぐためにはいわゆる「省エネモード」に移行し、一定時間だけ表示した後、待ちうけ画面を非表示としても良い。
【００６９】
また、この場合、待ち受け画面が非表示の状態で、例えば折畳んである携帯電話１の回動部４を開くと言った操作を行うことにより再度表示されるようにしても良い。
上記待ち受け画面を表示した後、機能制御部２５は、電源スイッチがオフ操作されたか否かを判別し（Ｓ１７）、電源スイッチがオフ操作されていれば（Ｓ１７がＹｅｓ）、携帯電話１の電源をオフにするが（Ｓ１８）、電源スイッチがオフ操作されていないときは（Ｓ１７がＮｏ）、続いてキー操作を判別する（Ｓ１９）。
【００７０】
ここでのキー操作は、本例では、通話、Ｅメール、プリペイドカード等の機能を起動するためのキー操作のことをいい、テンキーによる数字、文字入力、及び電源スイッチ操作は含まない。
【００７１】
上記処理Ｓ１９のキー操作の判別で、キー操作が無ければ（Ｓ１９がＮｏ）、機能制御部２５は、処理Ｓ１６，Ｓ１７、及びＳ１９を繰り返し、キー操作が有れば（Ｓ１９がＹｅｓ）、そのキー操作により起動されようとしている機能が、予め制限が設定された機能であるか否かを判別する（Ｓ２０）。
【００７２】
そして、判別された機能が予め制限が設定されていない機能（例えば図６の表示画面７に示した、チェックボックス３９にチェックの無い「通話」、「メール」、「インタネット」、又は「カメラ」の機能等）であるときは（Ｓ２０がＮｏ）、制限機能以外の操作を受け付けて処理し（Ｓ２１）、操作が終了すると（Ｓ２２）、再び、処理Ｓ１６に戻って待ち受け画面を表示する。
【００７３】
このように、識別信号送信ユニット１０からの識別信号を受信できない状態であっても、キー操作により起動されようとしている機能が予め制限されていない機能の場合は、その機能を使用することができる。
【００７４】
他方、上記処理Ｓ２０の判別で、キー操作により起動されようとしている機能が制限設定された機能であるときは（Ｓ２０がＹｅｓ）、図７の上に示したような認証要求画面３６−１を表示して（図９のＳ１０１）、認証待ちの状態になる（Ｓ１０２）。
【００７５】
この認証要求画面３６−１が表示されている状態で、何らかのキー操作が行われると（Ｓ１０２がＹｅｓ）、操作者側を向いているデジタルカメラ９が撮影実行状態になり（Ｓ１０６）、その撮影画像が携帯電話１に内蔵の記憶装置に記録され（Ｓ１０７）、図８の処理Ｓ１６に戻る。
【００７６】
また、処理Ｓ１０２の認証待ちの状態でキー操作が行われず（Ｓ１０２がＮｏ）、更に識別信号送信ユニット１０からの識別信号も受信できなかった場合は（Ｓ１０３がＮｏ）、電源スイッチがオフ操作されたか否か判別し（Ｓ１０４）、電源スイッチがオフ操作されていれば（Ｓ１０４がＹｅｓ）、携帯電話１の電源をオフにするが（Ｓ１０５）、電源スイッチがオフ操作されていないときは（Ｓ１０４がＮｏ）、この場合も図８の処理Ｓ１６に戻る。
【００７７】
一方、処理Ｓ１０２の認証待ちの状態でキー操作が行われずに（Ｓ１０２がＮｏ）、識別信号送信ユニット１０からの識別信号が受信できた場合は（Ｓ１０３がＹｅｓ）、図８の処理動作に戻って使用制限を解除する（Ｓ４）。これは処理Ｓ３の識別信号送信ユニット１０からの識別信号を待つ状態において、識別信号送信ユニット１０からの識別信号が受信できた場合（Ｓ３がＹｅｓ）も同様である。
【００７８】
上記使用制限の解除の後、機能制御部２５は、図７の中央に示したような携帯電話１側に識別信号送信ユニット１０からの識別信号が認識されていることを示す二重丸の認証マーク４１が使用環境表示部３７の右端部に表示された待ち受け画面表示Ａを表示する（Ｓ５）。
【００７９】
この状態で、使用者が電源スイッチを切れば、電源スイッチがオフ操作されたか否かの判別で（Ｓ６）、電源スイッチがオフ操作されたことが判別されるので（Ｓ６がＹｅｓ）、当然電源がオフにされるが（Ｓ２３）、電源スイッチがオフ操作されないときは（Ｓ６がＮｏ）、機能制御部２５は、処理Ｓ５、Ｓ６、及びＳ７の処理を繰り返す。
【００８０】
そして、キー操作が行われた場合には（Ｓ７がＹｅｓ）、機能制御部２５は、先ず、予め制限が設定された機能か否かの判断を行い（Ｓ８）、制限されていない機能の場合には（Ｓ８がＮｏ）、そのまま指定された機能の処理に移行して、制限機能以外の操作を受け付けて、その受け付けた操作の処理を行い（Ｓ２４）、操作が全て終了したところで（Ｓ２５）、再び処理Ｓ５の認証された待ち受け画面の表示を行う。
【００８１】
また、上記のキー操作により選択された機能が制限されている機能の場合には（Ｓ８がＹｅｓ）、先ず、使用制限状態になったため、再度認証待ち状態になる（Ｓ９）。
ここで、キー操作後に再度認証が行われるのは、電源オンの状態で置き忘れたり、盗難等にあった場合を想定して、万全を期すためである。
【００８２】
そして、この時点で識別信号送信ユニット１０からの識別信号を受信できなかった場合には（Ｓ９がＮｏ）、上述した図９の処理Ｓ１０１の処理に移行する。
図９の処理Ｓ１０１以降の処理は前述のとおりであるが、この例のように図８の処理Ｓ２６から図９の処理Ｓ１０１に移行した場合は、図９の処理Ｓ１０３で識別信号送信ユニット１０からの識別信号を受信すると（Ｓ１０３がＹｅｓ）、図８で使用制限設定解除の処理が行われる（Ｓ２７）。
【００８３】
これにより、使用制限解除状態となりキー操作で選択される機能(制限された機能)が起動される。また、図８の処理Ｓ９の認証待ち状態の時点で送信識別ユニット１０からの識別信号が受信された場合、つまり図９の処理に移行しない場合は、処理Ｓ４における使用制限解除状態が継続されて、同様に選択された機能(制限された機能)が起動される。
【００８４】
この状態で、携帯電話１の使用者は、制限機能設定画面に移行することができるので、機能制御部２５は、制限機能設定が選択されているか否かを判別する（Ｓ１０）。
そして、携帯電話１の使用者が制限機能設定を選択すると（Ｓ１０がＹｅｓ）、例えば図６に示したような各機能のメニュー（機能名）とそのチェックボックスが表示された制限機能設定画面が表示画面７に表示される。
【００８５】
ここで携帯電話１の使用者は、この制限機能設定画面で制限機能を設定することができる。すなわち、操作部２の操作キー５の中のカーソルキーを上下に移動させて、機能メニューの所望の機能名を選択できる（Ｓ１１）。
【００８６】
そして、携帯電話１の使用者は、操作キー５の中の例えば「ＯＫ」ボタン又は「リターンキー」等を押すことにより、選択された機能名に対応するチェックボックス３９にチェックマーク「レ」が表示されて設定が終了する（Ｓ１２）。
【００８７】
機能制御部２５は、その選択された機能名を携帯電話１に内蔵の記憶装置に記憶し（Ｓ１３）、これで操作処理が終了する（Ｓ１４）。その後は選択された機能名に対応する機能が制限される。
【００８８】
そして上記制限機能設定画面で制限機能が設定された後は、機能制御部２５は、再び処理Ｓ５に戻って、識別信号送信ユニット１０からの識別信号が認識されていることを示す待ち受け画面の表示を行う。
【００８９】
尚、携帯電話１の使用者が制限機能設定を選択しないときは（Ｓ１０がＮｏ）、制限機能設定以外のキー操作が行われて（Ｓ２８）、操作が終了し（Ｓ２９）、この場合も再び処理Ｓ５に戻って、識別信号送信ユニット１０からの識別信号が認識されていることを示す待ち受け画面の表示を行う。
【００９０】
尚、携帯電話１の製品出荷時の使用制限については、全ての機能を制限する設定にしておくことにより、ユーザが購入後に設定を行わなくても識別信号送信ユニット１０からの識別信号を受信できない場合は使用が制限されるから、ユーザは安心して携帯電話１を使用することができる。
【００９１】
また、上記の制限機能選択画面は、識別信号送信ユニット１０からの識別信号を受信できた状態でのみ操作できるようにすることが望ましい。すなわち認証が行われていない状態で制限機能選択画面上で使用を制限しない機能にすることができないようにしておくことが望ましい。
【００９２】
また、上述した実施例においては、電源をオンした後の認証で、識別信号送信ユニット１０からの識別信号が受信できた場合であっても、図８の処理Ｓ９又は図９の処理Ｓ１０３に示すように、機能を起動するためのキー操作が行われないと認証状態にならないようにしている。
【００９３】
これは、定期的に認証を行わなくてもセキュリティー上問題がないことから、定期的に認証を行わなくても良いようにしたものであり、定期的に認証を行う構成にすると電流消費が増大して頻繁に充電を行うことになるからである。
【００９４】
また、電源がオンになっている状態で識別信号送信ユニット１０から離れた場合、本例ではキー操作が行われない限り携帯電話１側ではユーザを認識できない。また、この状態では識別信号送信ユニット１０からの信号を受信できたことを示す待ち受け画面に表示されたままになっている。したがて、電源がオンになっている状態では常に定期的に認証を行う構成としても良い。
【００９５】
図１０は、電源がオンになっている状態でも定期的に認証を行う場合の処理動作を説明するフローチャートである。
図１０に示すように、認証待ち状態の待ち受け画面表示Ａ（図７の中央の表示画面７参照）を表示中のとき（Ｓ２０１）、識別信号による認証の判別を行い（Ｓ２０２）、識別信号送信ユニット１０からの識別信号が受信できれば（Ｓ２０２がＹｅｓ）、処理Ｓ２０１、Ｓ２０２が繰り返されて、引き続き認証されていることを示す待ち受け画面表示Ａが表示される。
【００９６】
この状態は、図８の処理Ｓ５の処理状態であることから、この状態でキー操作された場合は、図８に示すフローチャートに従った処理の流れとなる。
図１０に示す処理Ｓ２０２の認証の判別で、認証できなかった場合は（Ｓ２０２がＮｏ）、先ず、警告音（図８の処理Ｓ１５の警告音と同じ）が放音され、続いて認証されていないことを示す待ち受け画面Ｂ（図７の下の表示場面７参照）に表示が変更されて（Ｓ２０４）、キー操作待ちとなる（Ｓ２０５）。
【００９７】
ここでキー操作が行われなかった場合には（Ｓ２０５がＮｏ）、電源のオフ操作が行われたときは（Ｓ２０６がＹｅｓ）、電源をオフにするが（Ｓ２０７）、電源のオフ操作が行われない間は（Ｓ２０６がＮｏ）、待ち受け画面表示Ｂの表示が継続され、一定時間経過後に再び上記処理Ｓ２０２において認証の判別が行われる。
【００９８】
他方、処理Ｓ２０５におけるキー操作待ちにおいて、キー操作が行われた場合には（Ｓ２０５がＹｅｓ）、その認証されていない状態で行われたキー操作が制限機能に係わるキー操作であるかを判別する（Ｓ２０８）。
【００９９】
そして、制限機能に係わるキー操作でなければ（Ｓ２０８がＮｏ）、その機能が起動され（Ｓ２０９）、その操作終了により（Ｓ２１０）、処理Ｓ２０４の待ち受け画面表示Ｂの表示処理に戻る。
【０１００】
他方、処理２０８の判別において、キー操作により選択された機能が制限機能であった場合は（Ｓ２０８がＹｅｓ）、認証要求画面表示の表示を行なって（Ｓ２１１）、その後のキー操作の有無を判別される（Ｓ２１２）。
【０１０１】
そして、キー操作が行われた場合には（Ｓ２１２がＹｅｓ）、携帯電話１の操作者側を向いているデジタルカメラ９が撮影実行状態となり（Ｓ２１３）、その撮影画像が携帯電話１に内蔵の記憶装置に記録され（Ｓ２１４）、処理Ｓ２０４の待ち受け画面表示Ｂの表示処理に戻る。
【０１０２】
また、認証要求画面が表示された状態でキー操作が行われなかった場合には（Ｓ２１２がＮｏ）、この場合も処理２０４の待ち受け画面表示Ｂの表示処理に戻る。
尚、待ち受け画面表示Ｂの表示処理に戻った後は、一定時間経過後、再度認証が行われる（処理Ｓ２０４→Ｓ２０５→Ｓ２０６→Ｓ２０２）。
【０１０３】
尚、上述した実施例１〜８の説明においては、携帯情報機器として携帯電話を例に取って説明したが、これに限ることなく、携帯情報機器は電子手帳、携帯型パーソナルコンピュータ、ゲーム機等であってもよい。
【０１０４】
そのような機器に適用した場合は、初期設定時に他者使用禁止のための使用者専用のＩＤコードを設定したり、使用時の待ち受け表示画面に対してＩＤコードを入力する手数が省ける。
【０１０５】
また、上述した処理動作では、電源がオンであるときのみ識別信号送信ユニットとの認証を行う構成を示しているが、電源がオフのときでも認証機能のみ動作状態にしておき、定期的に認証を行うようにしてもよい。
【図面の簡単な説明】
【０１０６】
【図１】実施例１又は５としての携帯電話の開成状態と識別送信ユニットを上に示し、識別信号送信ユニットの一部を内部に収納し他部を外部に突出させて折畳まれた携帯電話の状態を左下に示し、識別信号送信ユニットの内部構成の大枠を透視的に右下に示す図である。
【図２】実施例２としての携帯情報機器の使用制限装置における携帯情報機器と使用制限装置との離散（散逸）防止の他の例を示す図である。
【図３】実施例３としての携帯情報機器の使用制限装置における携帯情報機器と使用制限装置との他の係合関係の例を示す図である。
【図４】実施例４としての携帯情報機器の使用制限装置における携帯情報機器と使用制限装置との他の係合関係の例を示す図である。
【図５】実施例６として、実施例１〜５の携帯情報機器の使用制限装置における携帯情報機器の回路ブロックを上に示し、使用制限装置の回路ブロックを下に示す図である。
【図６】実施例７として、本発明の携帯情報機器の使用制限装置において携帯電話の使用者による操作部の操作キーの操作によって携帯電話の制限機能を設定する場合の表示画面の表示例を示す図である。
【図７】実施例８として、実施例１〜５の携帯情報機器の使用制限装置において携帯電話の制限機能によって画像表示面に表示される表示例を３例示す図である。
【図８】実施例１〜８に示した構成の携帯情報機器の使用制限装置において携帯電話の機能制御部によって処理される使用制限処理の動作を説明するフローチャート（その１）である。
【図９】実施例１〜８に示した構成の携帯情報機器の使用制限装置において携帯電話の機能制御部によって処理される使用制限処理の動作を説明するフローチャート（その２）である。
【図１０】実施例１〜８に示した構成の携帯情報機器の使用制限装置において携帯電話の機能制御部によって処理される使用制限処理の動作を説明するフローチャート（その３）である。
【符号の説明】
【０１０７】
１      携帯電話
２      操作部
３      ヒンジ
４      回動部
５      操作キー
６      マイク
７      表示画面
８      スピーカ
９      デジタルカメラ
１０    識別信号送信ユニット
１０−１  一部
１０−２  他部
１１    識別信号送信ユニット収納部
１２    識別信号送信回路
１３    駆動用電池
１４    クリップ
１５    ストラップ取り付け部
１６    ストラップ
１７    充電用クレイドル
１８    回路基板
１９    識別信号送信回路部
２１    電源ケーブル
２２    充電用ケーブル
２３    コネクタ
２４    コネクタ受け部
２５    機能制御部
２６    機能選択部
２７    表示部
２８    操作信号入力部
２９    識別信号受信ユニット
３１    受信アンテナ
３２    識別信号送信回路
３３    識別情報記録部
３４    アンテナ
３５    電源
３６    画像表示面
３６−１  認証要求画面
３６−２  大きな人の顔の表示
３７    使用環境表示部
３８    時間表示部
３９    （３９−１〜３９−６）  チェックボックス
４１    認証マーク
４２    非認証マーク
【図１】
2006262151.tif 000003
【図２】
2006262151.tif 000004
【図３】
2006262151.tif 000005
【図４】
2006262151.tif 000006
【図５】
2006262151.tif 000007
【図６】
2006262151.tif 000008
【図７】
2006262151.tif 000009
【図８】
2006262151.tif 000010
【図９】
2006262151.tif 000011
【図１０】
2006262151.tif 000012